(57)【要約】      （修正有）【課題】聴覚障害者や視覚障害者等の障害を有する独居者及びその介助者に需要家に停電が生じている状態及び停電原因（停電情報）を知らせることが可能な停電状況連絡システムを提供する。【解決手段】独居者が居住する需要家に設置され需要家における停電の発生を検知する電力量計２と、需要家の停電原因を特定する受付管理システム３と、独居者及びその介助者が所持する携帯端末４，５と、独居者及びその介助者が所持する携帯端末４，５に需要家の停電原因を通知する停電通知データを送信するデータサーバ６と、がネットワーク７を介して通信可能に接続されて構成されている。データサーバ６は、停電原因に応じた停電通知データ生成し、独居者及びその介助者が所持する携帯端末４，５に送信する。独居者が所持する携帯端末４の振動部４４は、受信した停電通知データに基づいて、それぞれの停電通知データを区別可能な振動パターンで振動する。【選択図】図１
2015002498.tif 000002
【特許請求の範囲】
【請求項１】
独居者が居住する需要家に設置され前記需要家における停電の発生を検知する電力量計と、
前記需要家の停電原因を特定する受付管理システムと、
前記独居者及びその介助者が所持する携帯端末と、
前記独居者及びその介助者が所持する携帯端末に前記需要家の停電原因を通知する停電通知データを送信するデータサーバと、がネットワークを介して通信可能に接続され、
前記電力量計は、前記需要家において停電の発生を検知したときに停電発生データを生成する停電情報生成手段を有し、
前記受付管理システムは、受信した前記停電発生データに基づき前記需要家の停電原因を判断し、前記停電原因に応じた停電情報発信指令を生成する停電状態判断手段を有し、
前記データサーバは、受信した停電情報発信指令に基づいて停電原因ごとに前記停電通知データを生成する通知情報生成手段を有し、
前記独居者が所持する携帯端末は、振動を発生させる振動部と、前記振動部の振動を制御する独居者通知手段とを有し、
前記独居者通知手段は、前記受付管理システムから送信された停電通知データに基づき、前記停電原因ごとに異なる振動パターンで前記振動部を振動させることを特徴とする停電状況連絡システム。
【請求項２】
前記停電情報生成手段は、前記需要家において停電が復旧したことを検知したときに復旧データを生成し、
前記停電状態判断手段は、前記電力量計から送信された復旧データに基づき復旧情報発信指令を生成し、
前記通知情報生成手段は、受信した復旧情報発信指令に基づいて復旧通知データを生成し、
前記独居者通知手段は、前記受付管理システムから送信された復旧通知データに基づき、前記停電原因ごとに異なる振動パターンとは区別可能な振動パターンで前記振動部を振動させることを特徴とする停電状況連絡システム。
【請求項３】
前記データサーバは、タイマを備え、
前記通知情報生成手段は、前記停電通知データの送信から所定時間内に前記独居者が所持する携帯端末から信号を受信しないときは、前記独居者及び介助者が所持する携帯端末に前記停電通知データを再送信することを特徴とする請求項１又は２に記載の停電状況連絡システム。
【請求項４】
前記独居者通知手段が前記振動部に振動させる振動パターンは、モールス信号であることを特徴とする請求項１ないし３のいずれかに記載の停電状況連絡システム。
【発明の詳細な説明】
【技術分野】
【０００１】
本発明は、聴覚障害者や視覚障害者等の障害を持つ独居者及びその介助者に需要家に停電が生じている状態及び停電原因（停電情報）を知らせることが可能な停電状況連絡システムに関する。
【背景技術】
【０００２】
聴覚障害者や視覚障害者等の障害を有する独居者にあっては、停電時の情報を知る手段が限られており、多くの方は、その家族やヘルパー等の介助者に連絡をとり、停電原因等の情報を介助者から得たり、復旧作業の依頼を介助者にしたりしている。
このため介助者は、停電が発生すると独居者と連絡が取れるまでは不安を感じている。
【０００３】
そこで、従来においては、介助者が独居者の安否を確認することができるようにするために、ユーザ宅に設置された火災や停電を検知するセンサから送信された検知信号を受けた場合に、監視局に異常があったことをしらせる通信データを送信する端末機器を備えた監視システムが提案されている（特許文献１参照）。
【０００４】
また、独居者にとっては、いつでも介助者と連絡がとれるとは限らず、このような異常事態において情報を知ることができなければ強い不安を感じることとなる。
そこで、停電時間及び停電原因を独居者等の需要家に対し通知するシステムとして、停電時間及び停電原因（配信情報）の提供を希望する電力需要家等が、それぞれ、配信情報の提供を受ける条件を予め入力登録し、この通知条件により配信情報を提供する通知先を選定して配信情報を通知する停電情報通知システムが開示されている（特許文献２参照）。
【先行技術文献】
【特許文献】
【０００５】
【特許文献１】実用新案登録第３１６０３１４号公報
【特許文献２】特開２００７−３３６６９２号公報
【発明の概要】
【発明が解決しようとする課題】
【０００６】
しかしながら、特許文献１の監視システムにおいては、介助者に異常事態を通知するように構成されたものであるため、独居者には何ら情報が通知されず、依然として独居者の不安を除くことができない問題がある。また、介助者には詳細な情報が提供されないため、停電が広域に亘って生じているのか、独居者宅のみで生じているかの判断ができず、介助者がどのような対処をしたらよいのか不明であり対処が遅れるという問題がある。
【０００７】
また、特許文献２の停電情報通知システムでは、音声や電子メールによる通知を主とするもので、視覚及び聴覚の両方の障害を有する独居者には通知することができない問題がある。また、その介助者に連絡する手段を有していないため、介助者が異常事態を知ることができない問題もある。
【０００８】
本発明は、かかる事情に鑑みてなされたものであり、聴覚障害者や視覚障害者等の障害を有する独居者及びその介助者に需要家に停電が生じている状態及び停電原因（停電情報）を知らせることが可能な停電状況連絡システムを提供することを主たる課題としている。
【課題を解決するための手段】
【０００９】
上記課題を達成するために、本発明に係る停電状況連絡システムは、独居者が居住する需要家に設置され前記需要家における停電の発生を検知する電力量計と、前記需要家の停電原因を特定する受付管理システムと、前記独居者及びその介助者が所持する携帯端末と、前記独居者及びその介助者が所持する携帯端末に前記需要家の停電原因を通知する停電通知データを送信するデータサーバと、がネットワークを介して通信可能に接続され、前記電力量計は、前記需要家において停電の発生を検知したときに停電発生データを生成する停電情報生成手段を有し、前記受付管理システムは、受信した前記停電発生データに基づき前記需要家の停電原因を判断し、前記停電原因に応じた停電情報発信指令を生成する停電状態判断手段を有し、前記データサーバは、受信した停電情報発信指令に基づいて停電原因ごとに前記停電通知データを生成する通知情報生成手段を有し、前記独居者が所持する携帯端末は、振動を発生させる振動部と、前記振動部の振動を制御する独居者通知手段とを有し、前記独居者通知手段は、前記受付管理システムから送信された停電通知データに基づき、前記停電原因ごとに異なる振動パターンで前記振動部を振動させることを特徴としている。
独居者通知手段は、受付管理システムから送信された停電通知データに基づき、停電原因ごとに異なる振動パターンで振動部を振動させることにより、独居者が振動のパターンにより需要家に停電が生じている状態及び停電原因（停電情報）を把握することが可能となる。
また、介助者にあっては、停電情報を把握することで、独居者に適切な指示を行ったり、需要家に出向いて適切な処置を施したりすることが可能となる。
【００１０】
停電情報生成手段は、需要家において停電が復旧したことを検知したときに復旧データを生成し、停電状態判断手段は、電力量計から送信された復旧データに基づき復旧情報発信指令を生成し、通知情報生成手段は、受信した復旧情報発信指令に基づいて復旧通知データを生成し、独居者通知手段は、受付管理システムから送信された復旧通知データに基づき、停電原因ごとに異なる振動パターンとは区別可能な振動パターンで振動部を振動させるようにしてもよい。
振動部が停電原因ごとに異なる振動パターンとは区別可能な振動パターンで振動することにより、独居者は、停電が復旧したことを容易に把握することが可能となる。
【００１１】
データサーバは、タイマを備え、通知情報生成手段は、停電通知データの送信から所定時間内に前記独居者が所持する携帯端末から信号を受信しないときは、独居者及び介助者が所持する携帯端末に停電通知データを再送信するようにしてもよい。
停電通知データが独居者及び介助者が所持する携帯端末に再送信されることにより、介助者は、独居者が何らかの原因で未だ停電情報を把握していないことを確認することが可能となる。
【００１２】
独居者通知手段が振動部に振動させる振動パターンは、モールス信号であるようにしてもよい。
振動部の振動パターンがモールス信号であることにより、独居者は、モールス信号を解読することにより停電情報及び停電の復旧をより詳細に把握することが可能となる。
【発明の効果】
【００１３】
以上述べたように、本発明の停電状況連絡システムによれば、独居者通知手段は、受付管理システムから送信された停電通知データに基づき、停電原因ごとに異なる振動パターンで振動部を振動させることにより、独居者が振動のパターンにより停電情報を把握することが可能となり、独居者の不安を和らげることが可能となる。
また、介助者にあっては、停電情報を把握することで、独居者に適切な指示を行ったり、需要家に出向いて適切な処置を施したりすることが可能となるため、介助者の不安を和らげ適切な対処を迅速に行うことが可能となる。
【図面の簡単な説明】
【００１４】
【図１】図１は、停電状況連絡システムの全体構成を示すブロック図である。
【図２】図２は、停電状況連絡システムの屋内線不良による停電時の処理を示すフロー図である。
【図３】図３は、停電状況連絡システムの引込線不良による停電時の処理を示すフロー図である。
【図４】図４は、停電状況連絡システムの配電線不良による停電時の処理を示すフロー図である。
【図５】図５は、停電状況連絡システムの復旧時の処理を示すフロー図である。
【発明を実施するための形態】
【００１５】
以下、本発明の停電状況連絡システムについて、添付図面を参照して説明する。
【００１６】
図１に示すように、停電状況連絡システム１は、独居者が居住する需要家に設置され需要家における停電の発生を検知する電力量計２と、電力量計２から送信された情報に基づいて需要家の停電発生原因を特定する受付管理システム３と、独居者及びその介助者が所持する携帯端末４，５と、独居者及びその介助者が所持する携帯端末４，５に需要家の停電原因を通知する停電通知データを送信するデータサーバ６と、がネットワーク７を介して通信可能に接続されている。
ここで、独居者には、たとえば、聴覚障害者や視覚障害者等の障害を持つ者が挙げられ、介助者には、独居者の家族やヘルパーなどが挙げられる。
【００１７】
電力量計２は、特定の機器と通信可能に形成された、いわゆるスマートメータ（以下、電力量計２をスマートメータ２と表記する）で、処理装置を制御する制御部２１と、ネットワーク７とデータ通信可能に形成された通信部２２と、回路の電流及び電圧状態を検知するセンサ２３と、を有して構成されている。
【００１８】
制御部２１は、ＣＰＵ、ＲＯＭ、ＲＡＭからなるコンピュータの協働によって実現されるもので、需要家において停電の発生を検知したときに停電発生データを生成すると共に、停電が復旧したことを検知したときに復旧データを生成する停電情報生成手段２５と、停電情報生成手段２５により生成された停電発生データ及び復旧データを受付管理システム３に送信するデータ送受信手段２６とを有している。
また、これらの手段２５，２６は、実際には、常駐するプログラムによりハードウェア資源との協働により具現される。
【００１９】
なお、後述する各装置３，４，５，６に実装される制御部３１，４２，５１，６１も、本制御部２１と同様にコンピュータの協働により実現されるものであり、当該制御部の手段も常駐するプログラムによりハードウェア資源との協働により具現されるものである。
【００２０】
センサ２３は、電流計及び電圧計（図示せず）を有して構成され、制御部２１に接続されている。またセンサ２３の電流計は独居者が居住する需要家の屋内線に接続され、電圧計は配電線から各需要家に配設される引込線の電圧を計測可能に接続されている。したがって、屋内線の電流値及び引込線の電圧値が制御部２１に逐次入力されるようにセンサ２３と制御部２１が接続されている。
【００２１】
受付管理システム３は、処理装置を制御する制御部３１と、ネットワーク７とデータ通信可能に形成された通信部３２と、を有して構成されている。
【００２２】
制御部３１は、受信した停電発生データに基づき需要家の停電原因を判断し、この停電原因に応じた停電情報発信指令を生成すると共に、受信した復旧データに基づき復旧情報発信指令を生成する停電状態判断手段３３と、停電状態判断手段３３により生成された両情報発信指令をデータサーバ６に送信するデータ送受信手段３４と、を有している。
【００２３】
データサーバ６は、処理装置を制御する制御部６１と、ネットワーク７とデータ通信可能に形成された通信部６２と、データを格納する記憶部６３と、予め定めた所定時間をカウントするタイマ６４と、を有して構成されている。
【００２４】
制御部６１は、受信した停電情報発信指令に基づいて停電原因ごとに停電通知データを生成すると共に、受信した復旧情報発信指令に基づいて復旧通知データを生成する通知情報生成手段６６と、生成した両通知データを独居者及びその介助者が所持する携帯端末４，５に送信するデータ送受信手段６７と、を有している。
【００２５】
記憶部６３は、ハードディスク等の記憶媒体であって、独居者及びその介助者の住所、電話番号、電子メールアドレス、携帯端末４，５の連絡先等の連絡情報を記憶した顧客データベース６８（以下、データベースをＤＢとする）と、停電原因に応じた連絡フォーマットデータ及び停電復旧時の連絡フォーマットデータを記憶した連絡情報ＤＢ６９と、を格納している。
【００２６】
タイマ６４は、制御部から送信された信号によりカウントアップ又はカウントダウンを開始し、予め定めた所定時間の経過後に制御部６１に信号を送信する。
【００２７】
独居者が所持する携帯端末４は、処理装置を制御する制御部４１と、ネットワーク７とデータ通信可能に形成された通信部４２と、独居者がデータを入力可能に形成された入力部４３と、制御部４１からの信号に基づいて振動を発生する振動部４４と、を有して構成されている。
【００２８】
制御部４１は、停電通知データ及び復旧通知データの受信に基づいて振動部４４の振動を制御する独居者通知手段４８と、データの送受信を行うデータ送受信手段４７と、を有している。
【００２９】
入力部４３は、キーボード等の文字入力が可能なものや、独居者が携帯端末４の振動により停電情報を把握したこと等の特定の情報のみを伝えることが可能に形成された押しボタン等を採用することができる。
【００３０】
振動部４４は、携帯電話機等のバイブ機能に用いられるもので、図示しないモータと、モータのシャフトに取り付けられた偏心錘と、を有して構成されている。また、振動部４４が発生する振動の強弱や振動の時間の長さは、制御部４１から入力されたＯＮ又はＯＦＦ信号によりモータの稼働が制御されることによって行われる。
【００３１】
介助者が所持する携帯端末５は、処理装置を制御する制御部５１と、ネットワーク７とデータ通信可能に形成された通信部５２と、データを入力する入力部５３と、各種データを表示する表示部５４と、音声等の出力を行う出力部５５と、を有して構成されている。
【００３２】
制御部５１は、停電通知データ及び復旧通知データの受信に基づいて表示部５４及び出力部５５にデータを出力する介助者通知手段５６と、データの送受信を行うデータ送受信手段５７と、を有している。
【００３３】
入力部５３は、キーボード等の文字データの入力が可能なものを採用することができる。
表示部５４は、ディスプレイなどによって、データを表示可能に構成されたものである。
【００３４】
出力部５５は、ブザー音やメロディー等の音声の出力が可能なスピーカ（図示せず）や、独居者が所持する携帯端末４の振動部４４と同一構成の振動部（図示せず）を採用することができる。
【００３５】
以上で説明した停電状況連絡システム１について、停電時における処理動作を説明する。
【００３６】
（屋内線不良の場合）
屋内線不良による停電は、需要家に配設される屋内線において断線等の不具合により発生するため、該当する独居者の需要家に設けられたスマートメータ２のセンサ２３は、屋内線の電流が０Ａであること及び引込線の電圧が正常であることを検知する。停電状況連絡システム１では、このような条件を踏まえ屋内線不良の停電原因を判断し、独居者及び介助者が所持する携帯端末４，５にデータを送信する。
【００３７】
具体的には、図２に示すように、スマートメータ２の停電情報生成手段２５は、センサ２３から送信された信号により電流が流れていない状態、すなわち、０Ａを検出したか否かを判断し（ステップＳ０１）、０Ａを検出すると（ステップＳ０１：Ｙ）、引込線の電圧が正常か否かを判断する（ステップＳ０２）。
なお、ステップＳ０１において０Ａを検出しなければ、需要家における停電を検知せず、０Ａを検出するまでこの判断が繰り返される（ステップＳ０１：Ｎ）。
【００３８】
ステップＳ０２の判断において、停電情報生成手段２５は、電圧が正常と判断すると（ステップＳ０２：Ｙ）、屋内線不良による停電と判断し、停電発生データ（屋内線）を生成し、データ送受信手段２６によって生成した停電発生データ（屋内線）を受付管理システム３に送信する（ステップＳ０３）。
【００３９】
受付管理システム３の停電状態判断手段３３は、データ送受信手段３４によりスマートメータ２から送信された停電発生データ（屋内線）を受信すると、屋内線不良が停電原因とする発信指令（以下、停電情報発信指令（屋内線）とする）を生成し、データをデータサーバ６に送信する（ステップＳ０４）。
【００４０】
データサーバ６の通知情報生成手段６６は、データ送受信手段６７により受付管理システム３から送信された停電情報発信指令（屋内線）を受信すると、連絡情報ＤＢ６９から屋内線の停電情報フォーマットを、顧客ＤＢ６８から該当する独居者及びその介助者の連絡情報を読み出して、停電通知データ（屋内線）を生成し、独居者及びその介助者の携帯端末４，５に停電通知データ（屋内線）を送信する（ステップＳ０５）。
【００４１】
独居者が所持する携帯端末４の独居者通知手段４８は、停電通知データ（屋内線）を受信すると、屋内線が原因による停電があったことを知らせるモールス信号（例えば、屋内線が原因による停電を「Ｔ１」と予め定義した場合「−・−」（・は短点、−は長点を表し、長点１つは短点３つ分の長さに相当する）とする）を発生させるように振動部４４を振動させる（ステップＳ０６）。
【００４２】
介助者が所持する携帯端末５の介助者通知手段５６は、停電通知データ（屋内線）を受信すると、表示部５４に停電通知データ（屋内線）を表示させると共に、出力部５５から停電通知データ（屋内線）の受信に伴う音声等の出力を行う（ステップＳ０７）。
【００４３】
独居者は、所持する携帯端末４の振動部４４の振動により停電情報を認知すると、入力部４３を操作して停電情報（屋内線）を認知した旨を示す入力データを生成し、データ送受信手段４７により入力データをデータサーバ６に送信する。
【００４４】
データサーバ６の通知情報生成手段６６は、ステップＳ０５において独居者及びその介助者の携帯端末４，５に停電通知データ（屋内線）を送信すると、タイマ６４によりあらかじめ定めた所定時間が経過したかを判断し（ステップＳ０８）、所定時間が経過すると（ステップＳ０８：Ｙ）、独居者の携帯端末４から送信された入力データを受信したかを判断する（ステップＳ０９）。
【００４５】
通知情報生成手段６６は、入力データを受信した場合には（ステップＳ０９：Ｙ）、独居者からの連絡があった旨を知らせる連絡状況データを生成し、介助者の携帯端末５に連絡状況データを送信する（ステップＳ１０）。
これを受けて、介助者の携帯端末５の介助者通知手段５６は、連絡状況データを表示部５４に表示する（ステップＳ１１）。
【００４６】
一方で、独居者の携帯端末４から入力データを受信しないときは（ステップＳ０９：Ｎ）、ステップＳ０５に戻り、再度、停電通知データ（屋内線）を独居者及び介助者の携帯端末４，５に送信し、ステップＳ０９までの判断を繰り返す。
【００４７】
（引込線不良の場合）
引込線不良による停電は、配電線から独居者の需要家までの間に配設される引込線において断線等の不具合により発生するため、該当する独居者の需要家に設けられたスマートメータ２のセンサ２３は、屋内線の電流が０Ａであること及び引込線の電圧が０Ｖであることを検知する。また、配電線不良の場合と異なり、引込線は複数戸に配設されることはないため、複数戸で停電が発生することがない。停電状況連絡システム１では、このような条件を踏まえ引込線不良の停電原因を判断し、独居者及び介助者が所持する携帯端末４，５にデータを送信する。
【００４８】
具体的には、スマートメータ２の停電情報生成手段２５は、ステップＳ０２の判断において、電圧が正常でないと判断したときは（ステップＳ０２：Ｎ）、図３に示すように、０Ｖを検出したかを判断する（ステップＳ１２）。
【００４９】
停電情報生成手段２５は、０Ｖを検出したときは（ステップＳ１２：Ｙ）、停電が屋内線以外で発生していることを示す停電発生データ（屋内線以外）を受付管理システム３にデータ送受信手段２６により送信する（ステップＳ１３）。
一方で、ステップＳ１３において０Ｖを検出しないときは（ステップＳ１２：Ｎ）、再びステップＳ０２に戻り電圧が正常か否かを判断する。
【００５０】
受付管理システム３の停電状態判断手段３３は、停電発生データ（屋内線以外）を受信すると、複数のスマートメータ２から停電発生データ（屋内線以外）を受信したかを判断することにより、複数戸で停電が発生したかを判断する（ステップＳ１４）。
【００５１】
停電状態判断手段３３は、複数戸で停電が発生していないと判断したときは（ステップＳ１４：Ｎ）、停電発生指令（引込線）をデータサーバ６に送信する（ステップＳ１５）。
【００５２】
以後のステップＳ１６〜２２の処理は、屋内線不良の場合で説明したステップＳ５〜１１の処理と、停電原因が屋内線から引込線に変更されて各データが生成される他、独居者が所持する携帯端末４の振動部４４の振動が引込線不良である旨のモールス信号に変更される点以外は同一であるため説明を省略する。
なお、引込線不良である旨のモールス信号は、例えば、引込線が原因による停電を「Ｔ２」と予め定義した場合「−・・−」である。
【００５３】
なお、引込線不良の場合には、電力会社の作業員による復旧作業が独居者の需要家において必要になる。したがって、ステップＳ１６の停電通知データ（引込線）送信処理において、介助者が所持する携帯端末５には、独居者の需要家での復旧作業を依頼するかどうかを聞くようにしてもよい。
【００５４】
また、介助者が復旧作業を希望する場合には、介助者が携帯端末５の入力部５３で作業を希望する作業希望データを作成し、受付管理システム３に送信するようにする。
【００５５】
これを受けて受付管理システム３のユーザは、復旧作業を行う作業員を手配し、作業員の需要家への到着予定時刻を予測し、介助者が所持する携帯端末５に作業員の到着予定時刻を送信する。また、独居者が所持する携帯端末４にもデータを送信し、振動部４４の発するモールス信号により独居者に到着予定時刻を伝えるようにしてもよい。
【００５６】
（配電線不良の場合）
配電線不良の停電原因は、多くの場合、電線が碍子から外れたり、変圧器が交渉したりすることが原因となって生じる。また、配電線から引込線を介して各需要家に接続されるため、複数戸で停電が生じることとなる。停電状況連絡システム１では、このような条件を踏まえ引込線不良の停電原因を判断し、独居者及び介助者が所持する携帯端末４，５にデータを送信する。
【００５７】
すなわち、受付管理システム３の停電状態判断手段３３は、図３に示すように、ステップＳ１４の判断において、複数のスマートメータ２から停電発生データ（屋内線以外）を受信し、複数戸で停電発生したと判断したときは（ステップＳ１４：Ｙ）、図４に示すように、配電線不良であると判断し、停電情報発信指令（配電線）をデータサーバ６に送信する（ステップＳ２３）。
【００５８】
以後のステップＳ２４〜３０の処理は、屋内線不良の場合で説明したステップＳ５〜１１の処理と、停電原因が屋内線から配電線に変更されて各データが生成される他、独居者が所持する携帯端末４の振動部４４の振動が配電線不良である旨のモールス信号変更される点以外は同一であるため説明を省略する。
なお、配電線不良である旨のモールス信号は、例えば、配電線が原因による停電を「Ｔ３」と予め定義した場合「−・・・−」である。
【００５９】
停電復旧時における処理動作について説明する。
復旧時においては、スマートメータ２で屋内線の電流の検出及び引込線の電圧の検出がされることになる。停電状況連絡システム１では、このような条件を踏まえ停電の復旧を判断し、独居者及び介助者が所持する携帯端末４，５にデータを送信する。
【００６０】
具体的には、図５に示すように、スマートメータ２の停電情報生成手段２５は、センサ２３から送信された信号により電流が流れている状態、すなわち、電流を検出したか否かを判断し（ステップＳ３１）、電流を検出すると（ステップＳ３１：Ｙ）、引込線の電圧が正常か否かを判断する（ステップＳ３２）。
なお、ステップＳ３１において電流を検出しなければ、電流を検出するまでこの判断が繰り返される（ステップＳ３１：Ｎ）。
【００６１】
ステップＳ３２の判断において、停電情報生成手段２５は、電圧が正常と判断すると（ステップＳ３２：Ｙ）、停電が復旧されたと判断し、復旧データを生成し、データ送受信手段２６によって生成した復旧データを受付管理システム３に送信する（ステップＳ３３）。
なお、ステップＳ３２において正常電圧を検出しなければ、正常電圧を検出するまでこの判断が繰り返される（ステップＳ３２：Ｎ）
【００６２】
以後のステップＳ３４〜３７の処理は、屋内線不良の場合で説明したステップＳ５〜１１の処理と、停電情報から復旧情報に変更されて各データが生成される他、独居者が所持する携帯端末４の振動部４４の振動が停電の復旧である旨のモールス信号変更される点以外は同一であるため説明を省略する。
なお、復旧である旨のモールス信号は、例えば、復旧を「Ｆ」と予め定義した場合「・・−・」である。
【００６３】
以上のように、本発明の停電状況連絡システム１によれば、独居者通知手段４６は、受付管理システム３から送信された停電通知データに基づき、停電原因ごとに異なる振動パターンで振動部４４を振動させることにより、独居者が振動のパターンにより停電情報を把握することが可能となり、独居者の不安を和らげることが可能となる。また、独居者は、異常事態の情報を正確に把握することが可能となり、停電状況に応じた行動することが可能となる。
また、介助者にあっては、停電情報を把握することで、独居者に適切な指示を行ったり、需要家に出向いて適切な処置を施したりすることが可能となるため、介助者の不安を和らげ適切な対処を迅速に行うことが可能となる。
さらに、停電通知データが独居者及び介助者が所持する携帯端末４，５に再送信されることにより、介助者は、独居者が何らかの原因で未だ停電情報を把握していないことを確認することが可能となり、状況に応じた行動をすることができる。
【００６４】
なお、本実施例においては、独居者の携帯端末４，５の独居者通知手段４８は、振動によりモールス信号を発生させて独居者に伝えるようにしたが、これには限定されず、たとえば、振動の長さや強弱等を組み合わせた異なる４つの振動パターンにより、屋内線不良の場合と、引込線不良の場合と、配電線の不良の場合と、停電の復旧の場合と、を伝えるようにしてもよい。
また、独居者が所持する携帯端末４に音声出力部や、表示部を設けることで、振動部４４の振動以外にも、視覚障害の独居者には音声出力で、聴覚障害者の方には表示部にデータを表示するようにしてもよい。
【００６５】
さらに、介助者が所持する携帯端末５の介助者通知手段５６は、表示部５４にデータを表示したり、出力部５５より音声等を出力したりしたが、これには限られず、自動電話やＦＡＸ等で介助者に知らせるようにしてもよい。
【符号の説明】
【００６６】
１  停電状況連絡システム
２  電力量計（スマートメータ）
２５  停電情報生成手段
３  受付管理システム
３３  停電状態判断手段
４  携帯端末（独居者）
４４  振動部
４６  独居者通知手段
５  携帯端末（介助者）
６  データサーバ
６４  タイマ
６６  通知情報生成手段
７  ネットワーク
【図１】
2015002498.tif 000003
【図２】
2015002498.tif 000004
【図３】
2015002498.tif 000005
【図４】
2015002498.tif 000006
【図５】
2015002498.tif 000007